(57)【要約】【課題】デジタル放送の放送サービスを受信するためのデジタル放送受信装置、並びに制御方法及び制御プログラムであって、受信・再生している放送サービスの品質が低下したときであっても、自動的に同じ番組を放送している他の放送サービスに切り換わるようなものを提供すること。【解決手段】第１及び第２の受信ユニットの受信する放送サービスを同一のものとして両者からのデジタル信号を合成して得られた合成ダイバーシティ信号を復号する第１のモードと、第２の受信ユニットから得られたデジタル信号を復号すると共に第２の受信ユニットで受信している番組と同等の番組を放送している他の放送サービスを検出する第２のモードと、を切り換えるモード切換手段と、受信ユニットから出力されるデジタル信号の信号品質を検出する信号品質検出部とを有し、信号品質検出部の検出結果に基づいて第１及び第２のモードを切り換える。【選択図】  図１
2008085754.tif 000002
【特許請求の範囲】
【請求項１】
放送波を受信及び復調してデジタル信号を出力する第１及び第２の受信ユニットと、
前記第１及び第２の受信ユニットから出力されるデジタル信号を合成して合成ダイバーシティ信号を生成する合成ダイバーシティユニットと、
前記第１及び第２の受信ユニットで受信する放送サービスを選択する放送サービス選択ユニットと、
該デジタル信号又は該合成ダイバーシティ信号を復号して映像、音声及び／またはデータ信号を取り出す復号ユニットと、
前記放送サービス選択ユニット及び前記第１の受信ユニットを制御して放送サービスを検出するサービス検出手段と、
前記第１及び第２の受信ユニットの受信する放送サービスを同一のものとして両者からのデジタル信号を合成して得られた合成ダイバーシティ信号を復号する第１のモードと、前記第２の受信ユニットから得られたデジタル信号を復号すると共に前記第２の受信ユニットで受信している番組と同等の番組を放送している他の放送サービスを前記検出手段によって検出する第２のモードと、を切り換えるモード切換手段と、
第１及び第２の受信ユニットから出力されるデジタル信号の信号品質を検出する信号品質検出部と、
を有し、
前記モード切換手段は前記信号品質検出部の検出結果に基づいて該第１及び第２のモードを切り換える、
ことを特徴とするデジタル放送受信装置。
【請求項２】
前記モード切換手段は、該第２のモードにおいて該他の放送サービスを前記サービス検出手段が検出し、且つ前記第１の受信ユニットから出力されるデジタル信号の信号品質が第１のレベルを上回った時に第１のモードに切り換え、前記第１の受信ユニットが受信している放送サービスで合成ダイバーシティを行う、ことを特徴とする請求項１に記載のデジタル放送受信装置。
【請求項３】
前記デジタル放送受信装置は、過去に該第２のモードで検出した放送サービスの情報を所定期間登録する履歴登録手段をさらに有し、
前記サービス検出手段は、該第２のモードにおいて該他の放送サービスを前記履歴登録手段の登録内容に基づいて検出する、
ことを特徴とする請求項２に記載のデジタル放送受信装置。
【請求項４】
前記サービス検出手段は、該第２のモードにおいて、該他の放送サービスが前記履歴登録手段に登録されていない場合は、前記第１の受信ユニットを用いて周波数走査を行って該他の放送サービスを検出する、ことを特徴とする請求項３に記載のデジタル放送受信装置。
【請求項５】
前記モード切換手段は、該第２のモードにおいて前記第２の受信ユニットから出力されるデジタル信号の信号品質が第２のレベルを上回った時に第１のモードに切り換え、前記第２の受信ユニットが受信している放送サービスで合成ダイバーシティを行う、ことを特徴とする請求項１から４のいずれかに記載のデジタル放送受信装置。
【請求項６】
前記モード切換手段は、該第１のモードにおいて前記第２の受信ユニットが受信する信号の信号品質が第３のレベルを下回った時に該第２のモードに切り換える、ことを特徴とする請求項１から５のいずれかに記載のデジタル放送受信装置。
【請求項７】
前記信号品質検出部は、ビットエラーレートを信号品質として検出する、ことを特徴とする請求項１から６のいずれかに記載のデジタル放送受信装置。
【請求項８】
前記信号品質検出部は、Ｃ／Ｎ比を信号品質として検出する、ことを特徴とする請求項１から６のいずれかに記載のデジタル放送受信装置。
【請求項９】
放送波を受信及び復調してデジタル信号を出力する第１及び第２の受信ユニットと、該第１及び第２の受信ユニットから出力されるデジタル信号を合成して合成ダイバーシティ信号を生成する合成ダイバーシティユニットと、該第１及び第２の受信ユニットで受信する放送サービスを選択する放送サービス選択ユニットと、該デジタル信号又は該合成ダイバーシティ信号を復号して映像、音声及び／またはデータ信号を取り出す復号ユニットと、を備えたデジタル放送受信装置を制御するデジタル放送受信装置の制御方法であって、
該放送サービス選択ユニット及び該第１の受信ユニットを制御して放送サービスを検出するサービス検出ステップと、
該第１及び第２の受信ユニットの受信する放送サービスを同一のものとして両者からのデジタル信号を合成して得られた合成ダイバーシティ信号を復号する第１のモードと、該第２の受信ユニットから得られたデジタル信号を復号すると共に該第２の受信ユニットで受信している番組と同等の番組を放送している他の放送サービスを該サービス検出ステップを実行することによって検出する第２のモードと、を切り換えるモード切換ステップと、
該第１及び第２の受信ユニットから出力されるデジタル信号の信号品質を検出する信号品質検出ステップと、
を有し、
前記モード切換ステップは前記信号品質検出ステップの検出結果に基づいて該第１及び第２のモードを切り換える、
ことを特徴とするデジタル放送受信装置の制御方法。
【請求項１０】
前記モード切換ステップは、該第２のモードにおいて該他の放送サービスを前記サービス検出ステップによって検出し、且つ該第１の受信ユニットから出力されるデジタル信号の信号品質が第１のレベルを上回った時に第１のモードに切り換え、該第１の受信ユニットが受信している放送サービスで合成ダイバーシティを行うよう該合成ダイバーシティユニットを制御する、ことを特徴とする請求項９に記載のデジタル放送受信装置の制御方法。
【請求項１１】
過去に該第２のモードで検出した放送サービスの情報を所定期間登録する履歴登録ステップをさらに有し、
前記サービス検出ステップは、該第２のモードにおいて該他の放送サービスを前記履歴登録ステップによって登録された登録内容に基づいて検出する、
ことを特徴とする請求項１０に記載のデジタル放送受信装置の制御方法。
【請求項１２】
前記サービス検出ステップは、該第２のモードにおいて、該他の放送サービスが前記履歴登録ステップによって登録されていない場合は、該第１の受信ユニットを用いて周波数走査を行って該他の放送サービスを検出する、ことを特徴とする請求項１１に記載のデジタル放送受信装置の制御方法。
【請求項１３】
前記モード切換ステップは、該第２のモードにおいて該第２の受信ユニットから出力されるデジタル信号の信号品質が第２のレベルを上回った時に第１のモードに切り換え、該第２の受信ユニットが受信している放送サービスで合成ダイバーシティを行うよう該合成ダイバーシティユニットを制御する、ことを特徴とする請求項９から１２のいずれかに記載のデジタル放送受信装置の制御方法。
【請求項１４】
前記モード切換ステップは、該第１のモードにおいて該第２の受信ユニットが受信する信号の信号品質が第３のレベルを下回った時に該第２のモードに切り換える、ことを特徴とする請求項９から１３のいずれかに記載のデジタル放送受信装置の制御方法。
【請求項１５】
前記信号品質検出ステップは、ビットエラーレートを信号品質として検出する、ことを特徴とする請求項９から１４のいずれかに記載のデジタル放送受信装置方法。
【請求項１６】
前記信号品質検出ステップは、Ｃ／Ｎ比を信号品質として検出する、ことを特徴とする請求項９から１４のいずれかに記載のデジタル放送受信装置の制御方法。
【請求項１７】
請求項９から１６のいずれかに記載の制御方法を手順として実行させるための、デジタル放送受信装置の制御プログラム。
【発明の詳細な説明】
【技術分野】
【０００１】
本発明は、デジタル放送の放送サービスを受信するためのデジタル放送受信装置、並びにこのデジタル放送受信装置の制御方法及び制御プログラムに関する。
【背景技術】
【０００２】
近年、地上の送信局からデジタル信号を変調して送信し、受信器側で復調・復号して映像や音声、データなどを再生する地上デジタル放送が利用されつつある。このような地上デジタル放送は、パラボラアンテナなどの大型のアンテナを用いずとも高品質な映像・音声・データなどの受信が可能であるため、自動車などの移動体にも容易に搭載可能である。
【０００３】
地上デジタル放送用の受信器を移動体に搭載して使用する場合は、以下のような問題が発生しうる。すなわち、一般に放送の放送サービス（デジタル放送においては受信周波数及びサブキャリア）はエリアごとに異なるものが割り当てられており、同じ番組がエリアごとに異なる放送サービスで放送されている場合がほとんどである。このエリアは、小さいものは数１０キロメートル四方程度であり、自動車のような比較的高速で移動する移動体においては短時間のうちに異なる放送エリアに移動してしまう可能性がある。このため、従来は異なるエリアに移動するたびに放送サービスの走査を行って同じ番組を放送している他の放送サービスを探す必要があった。そして、放送サービスの走査には数１０秒〜数分かかる場合もあるため、その間は番組の視聴ができないという問題があった。
【０００４】
このような問題を解決するため、例えば特許文献１のような構成が提案されている。特許文献１の構成においては、地上デジタル放送を受信するための受信部を２組備え、一方の受信部で放送サービスの受信・再生を行いながら他方の受信部で周波数操作を行って高い信号品質の放送サービスの一覧を作成するものである。このような構成においては、放送サービスの走査はバックグラウンドで行われるので、受信・再生している放送サービスの品質が低下したときに新たに走査を行わなくともよい。
【特許文献１】特開２００６−１３９４５
【発明の開示】
【発明が解決しようとする課題】
【０００５】
しかしながら、上記特許文献１のような従来の構成では、エリアを移動したときに受信可能な放送サービス一覧の再取得をするのみであり、受信・再生している放送サービスの品質が低下したときはユーザが手動でチャンネルを切り換えを行って同じ番組を放送している他の放送サービスを探す必要があった。
【０００６】
本発明は上記の問題を解決するものであり、受信・再生している放送サービスの品質が低下したときであっても、自動的に同じ番組を放送している他の放送サービスに切り換わるような、デジタル放送の受信装置を提供することを目的とする。
【課題を解決するための手段】
【０００７】
上記の問題を解決するため、本発明においては、放送サービスを検出するサービス検出手段と、第１及び第２の受信ユニットの受信する放送サービスを同一のものとして両者からのデジタル信号を合成して得られた合成ダイバーシティ信号を復号する第１のモードと第２の受信ユニットから得られたデジタル信号を復号すると共に第２の受信ユニットで受信している番組と同等の番組を放送している他の放送サービスをサービス検出手段によって検出する第２のモードと、を切り換えるモード切換手段と、第１及び第２の受信ユニットから出力されるデジタル信号の信号品質を検出する信号品質検出部と、を有し、モード切換手段は信号品質検出部の検出結果に基づいて第１及び第２のモードを切り換える構成としている。
【０００８】
このような構成とすると、合成ダイバーシティで放送サービスを受信・再生している際にこの放送サービスの品質が低下した場合は、第２の受信ユニットで引き続き放送サービスの受信・再生を行いつつ、第１の通信ユニットでこの放送サービスと同等の番組を放送している他の放送サービスをバックグラウンドで検出することができる。そして、適切な放送サービスを検出した後に、その放送サービスを受信・再生するようにする。これによって、放送サービスの品質が低下した場合は、ユーザが特に選局操作などを行うことなく、適切な放送サービスに自動的に切り換わるようになる。
【０００９】
加えて、本発明においては、他の放送サービスを検出する必要がないときは合成ダイバーシティによって高品質な放送サービスの受信が可能となる。
【００１０】
ここで、例えば、モード切換手段は、第２のモードにおいて他の放送サービスをサービス検出手段が検出し、且つ第１の受信ユニットから出力されるデジタル信号の信号品質が第１のレベルを上回った時に第１のモードに切り換え、第１の受信ユニットが受信している放送サービスで合成ダイバーシティを行う。
【００１１】
また、デジタル放送受信装置は、過去に第２のモードで検出した放送サービスの情報を所定期間登録する履歴登録手段をさらに有し、サービス検出手段は、第２のモードにおいて他の放送サービスを履歴登録手段の登録内容に基づいて検出する構成としてもよい。
【００１２】
このような構成とすると、履歴登録手段に適切な放送サービスが登録されていれば、周波数走査を行わずに他の放送サービスへの切換えが可能となり、その場合は短時間で他の放送サービスへの切換えが可能となる。
【００１３】
また、サービス検出手段は、第２のモードにおいて、他の放送サービスが履歴登録手段に登録されていない場合は、第１の受信ユニットを用いて周波数走査を行って該他の放送サービスを検出する構成としてもよい。
【００１４】
また、モード切換手段は、第２のモードにおいて第２の受信ユニットから出力されるデジタル信号の信号品質が第２のレベルを上回った時に第１のモードに切り換え、第２の受信ユニットが受信している放送サービスで合成ダイバーシティを行う構成としてもよい。
【００１５】
このような構成とすると、現在受信・再生している放送サービスの電波の受信状態が改善したときに、他の放送サービスの検出が中止される。
【００１６】
また、モード切換手段は、第１のモードにおいて第２の受信ユニットが受信する信号の信号品質が第３のレベルを下回った時に第２のモードに切り換える構成としてもよい。
【００１７】
なお、信号品質検出部は、例えば、ビットエラーレートを信号品質として検出する。或いは、信号品質検出部は、Ｃ／Ｎ比を信号品質として検出する。
【発明の効果】
【００１８】
以上のように、本発明によれば、受信・再生している放送サービスの品質が低下したときであっても、自動的に同じ番組を放送している他の放送サービスに切り換わるような、デジタル放送の受信装置が実現される。
【発明を実施するための最良の形態】
【００１９】
以下、本発明の実施の形態につき、図面を参照して説明する。図１は、本発明の実施の形態の車載用地上デジタル放送受信装置のブロック図を示したものである。図１に示されるように受信装置１は、第１アンテナ１１、第１チューナ１２、第１復調部１３を備えた第１受信ユニット１０と、第２アンテナ２１、第２チューナ２２、第２復調部２３を備えた第２受信ユニット２０と、デコーダ３２と、画像処理回路３４と、音声処理回路３６と、モニタ４２と、スピーカ４４と、キーパッド４６と、コントローラ５０と、を有する。なお、図１において、実線の矢印は放送信号若しくはデータの流れを示したものであり、破線の矢印はコントローラ５０による制御の流れを示したものである。
【００２０】
第１受信ユニット１０および第２受信ユニット２０は、夫々異なる放送サービス（受信周波数およびサブキャリア）を受信可能である。以下の説明は第１受信ユニット１０に関するものであるが、第１アンテナ１１、第１チューナ１２、第１復調部１３の機能は、第２アンテナ２１、第２チューナ２２、第２復調部２３の機能と同等である。デジタル放送の放送電波は第１アンテナ１１で受信され、第１チューナ１２にて所望の周波数帯の信号を抽出して第１復調部１３に送信する。本実施形態においては、デジタル放送の信号はＯＦＤＭ方式によって変調されたアナログ信号であり、これを第１復調部１３によって復調してデジタル信号を得る。復調されたデジタル信号はデコーダ３２に送信される。デコーダ３２は、デジタル信号中に含まれる符号化された映像／音声データを抽出すると共に、その他のデータ（文字情報など）を解読して後にコントローラ５０に送信する。
【００２１】
デコーダ３２は、符号化された映像／音声データ（例えばＭＰＥＧ２方式のもの）を復号し、復号された映像データを画像処理回路３４に、音声データを音声処理回路３６にそれぞれ送信する。画像処理回路３４は復号された映像データに所定の画像処理（例えばコントラスト調整）を加え、さらに所定の方式のビデオ信号（コンポジット信号、コンポーネント信号、デジタルビデオ信号など）に変換してモニタ４２の映像入力端子４２ａに出力する。また、音声処理回路３６は、復号された音声データに所定のエフェクト（サラウンド、低音強調など）を加え、さらに所定の形式のアナログ音声信号に変換してスピーカ４４する。かくして、デジタル放送信号を受信して、映像および音声をモニタ４２およびスピーカ４４を介して視聴することができる。
【００２２】
また、デコーダ３２によって解読され、コントローラ５０に送信されたデータは、コントローラ５０によって処理される。例えば、データに含まれる文字情報をテロップとしてモニタ４２の画面上に表示させることができる。或いは、データに含まれる番組表などをモニタ４２の画面上に表示させることができる。
【００２３】
本実施形態においては、受信装置１のユーザは、キーパッド４６を操作することによって所望の放送サービスを選局することができる。すなわち、図２に示されるように、キーパッド４６には０〜９まで計１０個の選局キーが設けられており、ユーザはこの選局キーを押すことによって、その選局キーに関連づけられた放送サービスを選局することができる。
【００２４】
据え置き型の受信装置であれば、各キーに放送サービスの周波数やサブキャリア番号を直接割り当てることによって、ユーザはワンタッチで所望の放送サービスを選局する。しかしながら、移動体に搭載される受信装置１においては、ある放送サービスのサービス提供エリアを移動体が離れるとその放送サービスを受信できなくなる。一般に、地上デジタルテレビジョン放送の各放送サービス（放送局）は、キー局の系列局となっており、異なる放送局であっても、同一系列に属する放送局であれば、同じ時間に、同じ内容の番組を放送していることが多い。従って、移動体に搭載される受信装置においては、キーパッド４６の各キーに系列の識別子を割り当て、ユーザによって選択された系列に属する適切な放送サービスをコントローラ５０が検出する構成とすることが好ましい。
【００２５】
ここで、本実施形態の地上デジタルテレビジョン放送においては、復調されたデータにサービスＩＤおよび系列ＩＤが含まれている。サービスＩＤとは放送サービスごとにユニークな値となっており、コントローラ５０はこのサービスＩＤを復調したデータから抽出することによって、どの放送サービスを受信しているのかを検知することができる。また、系列ＩＤとは、この放送サービスが属する系列の識別子である。従って、コントローラ５０は周波数走査（受信周波数を少しずつ変えながら受信可能な放送サービスの一覧を作成する処理）を行って、所望の系列に属する放送サービスを検出することができる。
【００２６】
ここで、周波数走査の結果は、コントローラ５０のメモリにチャンネル参照テーブルとして保存される。チャンネル参照テーブルの一例を図３に示す。図３に示されているように、周波数走査の結果は、系列ＩＤと、放送サービスのサービスＩＤ、および物理チャンネル（周波数に対応）とが互いに関連づけられた形で保存される。なお、前述のように、サブキャリアを用いて一つの物理チャンネルで複数の放送サービスを提供することが可能となっているので、一つの系列ＩＤおよび物理チャンネルには単数または複数のサービスＩＤが関連づけられている。なお、放送サービスによっては系列ＩＤが設定されていない（つまり、他の放送サービスと系列を形成していない）ものもある。本実施形態においてはそのような独立径の放送サービスには９１〜９８の系列ＩＤをコントローラ５０が割り当てるようになっている。
【００２７】
ここで、例えば、系列ＩＤ「０」が割り当てられたキーパッド４６のキーをユーザが押下すると、コントローラ５０は図３のテーブルを参照し、チューナを制御して物理チャンネル２７の周波数の放送を受信する。なお、一つの物理チャンネルに複数のサービスＩＤが割り当てられている場合は、サービスＩＤの値の小さいものが選択され、次いで所定の切換操作をユーザが行う（例えばキーパッド４６の所定のキーを押下する）と、他のサービスＩＤの放送サービスが選択される。
【００２８】
本実施形態においては、第１受信ユニット１０と第２受信ユニット２０とで同一の放送サービスを受信し、第１復調部１３によって直交復調された信号と第２復調部２３によって直交復調された信号とを合成し、さらにこれを再度変調してエラーの少ない信号を得る、所謂合成ダイバーシティを行うことが出来るようになっている。この結果、本実施形態においては、２系統の受信ユニット１０、２０を利用した合成ダイバーシティによって、ノイズの少ない映像／音声を視聴できるようになっている。
【００２９】
また、本実施形態においては、受信装置１は自動車等の移動体に搭載されるものであるため、ある放送サービスの放送を受信・視聴している間に、その放送サービスの放送電波が届きにくいエリアに移動体が移動してしまう可能性がある。本実施形態においては、そのような場合に現在視聴している放送サービスで放送されている番組と同じ番組を放送しており、かつ現在視聴している放送サービスよりも受信しやすい他の放送サービスに自動的に切り換えるための手段を有している。以下、その構成につき説明する。
【００３０】
本実施形態においては、第２受信ユニット２０で受信された放送サービスの番組を視聴しながら、この番組と同じ番組を放送している他の放送サービスを第１受信ユニット１０で走査可能となっている。すなわち、ある放送サービスの放送の電波の強度が低下して受信しにくくなった場合には、第２受信ユニット２０でその放送サービスの再生を続けながら、この放送サービスで放送している番組を放送しており、且つ良好に受信可能な他の放送サービスがあるかどうかを第１受信ユニット１０を用いて検出し、そのような代替の放送サービスがあれば、以降はその代替の放送サービスを再生する。この構成につき、以下説明する。
【００３１】
図４は、本実施形態においてコントローラ５０によって実行されるルーチンのフローチャートである。本ルーチンは、受信装置１にて放送サービスが受信されている間、継続的にバックグラウンドで実行されるルーチンである。
【００３２】
本ルーチンが起動されると、最初にステップＳ１が実行される。ステップＳ１においては、合成ダイバーシティ処理を行うべきか、それとも代替放送検出処理を行うべきかどうかの判定が行われる。この判定は、「次モード設定フラグ」の内容をコントローラ５０が判定することによって行われる。「次モード設定フラグ」には合成ダイバーシティ処理を行うことを示す値か、代替放送検出処理を行うことを示す値の一方が設定されている。なお、受信装置１の起動時においては、「次モード設定フラグ」には合成ダイバーシティ処理を行うことを示す値が設定されている。
【００３３】
ステップＳ１において、合成ダイバーシティ処理を行うべきであるとコントローラ５０が判断した場合は（Ｓ１：ダイバーシティ）、ステップＳ２に進む。一方、ステップＳ１において、代替放送検出処理を行うべきであるとコントローラ５０が判断した場合は（Ｓ１：代替放送検出）、ステップＳ３に進む。
【００３４】
ステップＳ２においては、合成ダイバーシティ設定処理（後述）が実行される。この処理は、合成ダイバーシティが行われていない時（すなわち第２受信ユニットのみで放送のサービスの受信を行っている時）には、合成ダイバーシティ処理を開始するよう第１および第２受信ユニット１０、２０を制御する処理である。本ステップの実行が完了した後、ステップＳ４が実行される。
【００３５】
また、ステップＳ３においては、代替放送検出処理（後述）が実行される。この処理は、合成ダイバーシティが行われている時に合成ダイバーシティを停止する処理であり、且つ合成ダイバーシティが行われているかどうかを問わず、代替放送の検出を行う処理である。本ステップの実行が完了した後、ステップＳ４が実行される。
【００３６】
ステップＳ４では、所定時間（例えば数秒）待機し、次いでステップＳ１に戻る。以上のように、本ルーチンにおいては合成ダイバーシティ設定処理または代替放送検出処理が繰り返し実行されるようになっている。
【００３７】
ステップＳ２の合成ダイバーシティ設定処理につき、以下説明する。図５は、合成ダイバーシティ設定処理のルーチンを示すフローチャートである。本ルーチンが開始すると、ステップＳ１１が実行される。
【００３８】
ステップＳ１１では、現在合成ダイバーシティが行われているかどうかの確認が行われる。この確認は、「現動作モードフラグ」を判定することによって実施される。「現動作モードフラグ」とは、現在合成ダイバーシティが行われている（合成ダイバーシティモード）ことを示す値か、合成ダイバーシティが行われていない（すなわち、第２受信ユニットからのデータのみを放送サービスの再生に使用している、シングルモード）ことを示す値のどちらかが設定されている。現在合成ダイバーシティが行われているのであれば（Ｓ１１：ダイバーシティ）、ステップＳ１４に進む。一方、現在合成ダイバーシティが行われていないのであれば（Ｓ１１：シングル）、ステップＳ１２に進む。
【００３９】
ステップＳ１２では、コントローラ５０は、第１復調部１３からのデータが第２復調部２３からのデータと合成される（すなわち合成ダイバーシティが行われる）ように、第２復調部２３を制御する。次いで、ステップＳ１３に進む。
【００４０】
ステップＳ１３では、「現動作モードフラグ」に現在合成ダイバーシティが行われていることを示す値を設定する。次いで、ステップＳ１４に進む。
【００４１】
以上のステップＳ１１〜１３によって、シングルモードから合成ダイバーシティモードへの切換が行われる。
【００４２】
ステップＳ１４では、放送サービスの変更がユーザによってなされたかどうかの判定が行われる。より具体的には、コントローラ５０は別プロセスでキーパッド４６のキー入力を監視しており、キーパッド４６の入力があり、且つ入力されたキーに関連づけられた系列ＩＤが現在視聴している放送サービスの系列ＩＤと異なる場合は、所定のグローバル変数に系列ＩＤを記録する。そして、ステップＳ１４において、このグローバル変数を参照して、放送サービスの変更がユーザによってなされたかどうかの判定が行われる。
【００４３】
ステップＳ１４において、放送サービスの変更がなされたと判断された場合は（Ｓ１４：ＹＥＳ）、ステップＳ１５に進む。一方、ステップＳ１４において放送サービスの変更がなされていない（すなわちグローバル変数に系列ＩＤ以外の値が設定されている）と判断された場合は（Ｓ１４：ＮＯ）、ステップＳ１６に進む。
【００４４】
ステップＳ１５では、上記グローバル変数に記憶されている系列ＩＤ及び図３のテーブルに基づいて、第１及び第２のチューナ１２、２２に設定すべきチャンネル（周波数）及び復号部１３、２３に設定すべきサブキャリアを指定する。次いで、上記グローバル変数の内容をクリアし、ステップＳ１６に進む。このように、ステップＳ１５では、チャンネルの変更が行われた後にグローバル変数の内容がクリアされて系列ＩＤが設定されていない状態になっているので、一度チャンネルの変更が行われた後は、次にキーパッド４６のキーが押されるまでステップＳ１５は実行されないことになる。
【００４５】
ステップＳ１６では、受信状態監視処理が実行される。この処理は、現在選択されている放送サービスの電波の信号品質のレベルを監視するものである。具体的な処理の内容については、後述する。次いで本ルーチンを終了し、ステップＳ４（図４）に戻る。
【００４６】
以上のように、本ルーチンが実行された後は、合成ダイバーシティを用いて放送サービスが提供されるようになると共に、キーパッド４６のキー操作に基づいたチャンネルの変更が行われる。
【００４７】
ステップＳ３の代替放送検出処理につき、以下説明する。図６及び図７は、代替放送検出処理のルーチンを示すフローチャートである。また、本ルーチンにおいては、処理時間の短縮化のために、過去に検出されたチャンネルの情報を一定期間の間保存する、履歴テーブル（図８）を使用している。本ルーチンが開始すると、ステップＳ２１が実行される。
【００４８】
ステップＳ２１では、現在合成ダイバーシティモードとシングルモードのいずれによって放送サービスの受信が行われているかの判定が行われる。この判定は、ステップＳ１１（図５）と同様、「現動作モードフラグ」を判定することによって実施される。現在合成ダイバーシティが行われているのであれば（Ｓ２１：ダイバーシティ）、ステップＳ２２に進む。一方、現在シングルモードで受信が行われていないのであれば（Ｓ２１：シングル）、ステップＳ２４に進む。
【００４９】
ステップＳ２２では、合成ダイバーシティモードからシングルモードへの変更処理が行われる。すなわち、第１復調部１３から出力されるデータが第２復調部２３から出力されるデータに合成されないように、コントローラ５０は第２復調部２３を制御する。次いで、ステップＳ２３に進む。
【００５０】
ステップＳ２３では、「現動作モードフラグ」に現在シングルモードでの受信が行われていることを示す値が設定される。次いで、ステップＳ２４に進む。
【００５１】
ステップＳ２４では、コントローラ５０は、履歴テーブルに記憶されている、過去に検出されたチャンネルの情報が有効であるかどうかの判定が行われる。図８に示されるように、履歴テーブルには、系列ＩＤの各々に対して物理チャンネル、サービスＩＤ、更新日時が関連づけられた状態が記憶されている。ステップＳ２４では、コントローラ５０は履歴テーブルの更新日時と現在時刻とを比較して更新日時から所定期間（例えば１時間）が経過した系列ＩＤがあるかどうかの確認を行う。そして、そのような系列ＩＤの「物理チャンネル」「サービスＩＤ」「更新日時」に夫々「９９」「０ｘＦＦＦＦ」「０」が代入される。すなわち、「物理チャンネル」「サービスＩＤ」「更新日時」がこのような値である系列がある系列ＩＤは、更新から所定期間以上経過していることを意味する。なお、一つのサービスＩＤに複数の物理チャンネルが関連づけられることもある。例えば、図８においては、系列ＩＤが２である物理チャンネルが３種類登録されている。次いで、ステップＳ２５に進む。
【００５２】
ステップＳ２５では、変数ｋに１が代入される。次いで、ステップＳ２６に進む。
【００５３】
ステップＳ２６では、現在第２受信ユニット２０が受信している放送サービスと同一の系列ＩＤを有する物理チャンネルのうち、更新日時の新しいものから順番に数えてｋ番目のものが履歴テーブルにあるかどうかの判定が行われる。ここで、対応する物理チャンネルがある場合は（Ｓ２６：ＹＥＳ）、ステップＳ２７に進む。
【００５４】
ステップＳ２７では、履歴テーブルに登録され且つ現在第２受信ユニット２０が受信している放送サービスと同一の系列ＩＤを有する物理チャンネルのうち、更新日時の新しいものから順番に数えてｋ番目のものを抽出する。次いで、コントローラ５０は第１チューナ１２を制御して、抽出された物理チャンネルに対応する周波数が第１ユニット１０によって受信されるようにする。次いでステップＳ２８に進む。
【００５５】
ステップＳ２８では、ステップＳ２７で抽出された物理チャンネルの放送信号の信号レベルのチェックが行われる。具体的には、コントローラ５０は第１復調部１３の出力のビットエラーレートを演算する。そして、このビットエラーレートが予め設定されている第１の閾値より小さいかどうかの判定がおこなわれる。第１復調部１３の出力のビットエラーレートが第１の閾値よりも小さい、すなわちステップＳ２７で抽出された物理チャンネルの放送信号の信号レベルが充分に高いと判断された場合は（Ｓ２８：規定値以上）、ステップＳ２９に進む。
【００５６】
ステップＳ２９では、ステップＳ２７で抽出された物理チャンネル及びサービスＩＤと、図３のチャンネル参照テーブルに含まれている物理チャンネルのうちステップＳ２７で抽出された物理チャンネルと同一の系列ＩＤを有するものとの入れ換えが行われる。すなわち、ステップＳ２７で抽出された物理チャンネル及びサービスＩＤはチャンネル参照テーブルに登録されるとともに履歴テーブルから抹消され、また、チャンネル参照テーブルに含まれている物理チャンネルのうちステップＳ２７で抽出された物理チャンネルと同一の系列ＩＤを有するものは履歴テーブルに登録されると共にチャンネル参照テーブルからは抹消される。なお、新たに履歴テーブルに登録された物理チャンネルの「更新日時」の項目には現在の日時が割り当てられる。次いで、ステップＳ３０に進む。
【００５７】
ステップＳ３０では、コントローラ５０は第２チューナ２２を制御して、現在第１の受信ユニット１０で受信している物理チャンネルの放送サービスを第２受信ユニット２０が受信するようにする。この結果、第１受信ユニット１０と第２受信ユニット２０とが同じ放送サービスを受信することになり、両者を合成する合成ダイバーシティが可能となる。次いで、ステップＳ３１に進む。
【００５８】
ステップＳ３１では、合成ダイバーシティ処理を行うことを示す値を「次モード設定フラグ」に設定する。次いで、本ルーチンを終了し、ステップＳ４（図４）に進む。
【００５９】
以上のように、本ルーチンのステップＳ２９〜Ｓ３１が実行されると、次にステップＳ１（図４）が実行された時に、新しいチャンネルで合成ダイバーシティによる放送サービスの受信・再生が始まる。
【００６０】
一方、本ルーチン（図６）のステップＳ２８において、第１復調部１３の出力のビットエラーレートが第１の閾値よりも大きい、すなわちステップＳ２７で抽出された物理チャンネルの放送信号の信号レベルが低いと判断された場合は（Ｓ２８：規定値未満）、ステップＳ３２に進む。
【００６１】
ステップＳ３２では、ステップＳ１４（図５）と同様に、放送サービスの変更がユーザによってなされたかどうかの判定が行われる。ステップＳ３２において、放送サービスの変更がなされたと判断された場合は（Ｓ３２：ＹＥＳ）、ステップＳ３１に進み、合成ダイバーシティ処理を行うことを示す値を「次モード設定フラグ」に設定する。次いで、本ルーチンを終了し、ステップＳ４（図４）に進む。この結果、次回ステップＳ１（図４）が実行された際は、ステップＳ１５（図５）が実行されることになり、このステップＳ１５によって、ユーザが指定した系列に属する放送サービスの受信・再生が合成ダイバーシティで実施されることになる。一方、ステップＳ３２において放送サービスの変更がなされていないと判断された場合は（Ｓ３２：ＮＯ）、ステップＳ３３に進む。
【００６２】
ステップＳ３３では、受信状態監視処理が実行される。この処理は、現在選択されている放送サービスの電波の信号品質のレベルを監視するものである。具体的な処理の内容については、後述する。次いで、ステップＳ３４に進む。
【００６３】
ステップＳ３４では、「次モード設定フラグ」に合成ダイバーシティ処理を行うことを示す値と代替放送検出処理を行うことを示す値のどちらが設定されているかどうかの判定がおこなわれる。ここで、本ルーチンの開始時においては「次モード設定フラグ」に代替放送検出処理を行うことを示す値が設定されているが、ステップＳ３３の受信状態可能処理において第２受信ユニット２０が受信した電波の信号品質が充分に高い場合は、これ以上代替放送の検出を続ける必要なしと判断され、「次モード設定フラグ」に合成ダイバーシティ処理を行うことを示す値が設定される。また、この場合は、現在第２の受信ユニット２０で受信している物理チャンネルの放送サービスを第１受信ユニット１０が受信するように変更されている。ステップＳ３４において「次モード設定フラグ」に合成ダイバーシティ処理を行うことを示す値が設定されていることが判明した場合は（Ｓ３４：ダイバーシティ）、本ルーチンを終了し、ステップＳ４に進む。この結果、次に実行されるステップＳ１（図４）からステップＳ２を介してステップＳ１２、Ｓ１３が実行されることになり、シングルモード時において現在第２の受信ユニット２０で受信・再生された放送サービスが、引き続き合成ダイバーシティモードで受信・再生されることになる。
【００６４】
一方、ステップＳ３４において「次モード設定フラグ」に代替放送検出処理を行うことを示す値が設定されている場合は、現在第２受信ユニットで受信している放送電波の信号品質のレベルは低いままであり、代替の放送サービスの検出を続けることが好適であることを意味する。従って、このような場合は（Ｓ３４：代替放送検出）、ステップＳ３５に進む。
【００６５】
ステップＳ３５では、変数ｋの値に１が加算され、次いでステップＳ２６に戻る。すなわち、履歴テーブルにおいて、現在第２受信ユニットで受信している放送サービスと同一系列の放送サービスが複数登録されている場合は、登録されている他の放送サービスについて、その放送電波の信号品質のレベルが充分に高いものであるか、すなわち、その放送サービスにて現在シングルモードで受信・再生している放送サービスを代替可能であるかについての検証が行われることになる。
【００６６】
また、ステップＳ２６において、現在第２受信ユニット２０が受信している放送サービスと同一の系列ＩＤを有する物理チャンネルのうち、更新日時の新しいものから順番に数えてｋ番目のものが履歴テーブルに無い場合は、対応する物理チャンネルが履歴テーブルに一つも記憶されていないか、物理チャンネルのうち現在第２受信ユニット２０が受信している放送サービスと同一の系列ＩＤを有するもの全てについて検証を行ったが、いずれも充分な品質のデータが得られないと判断されたことを意味する。このような場合は（Ｓ２６：ＮＯ）、ステップＳ４１に進む。
【００６７】
ステップＳ４１では、変数ｎに１が代入される。変数ｎは、物理チャンネルの番号を指す変数である。次いで、ステップＳ４２に進む。
【００６８】
ステップＳ４２では、第１チューナ１２の受信周波数を物理チャンネルｎに設定する。次いで、ステップＳ４３に進む。
【００６９】
ステップＳ４３では、第１復調部１３が物理チャンネルｎの放送信号を復調できたかどうか、すなわち、現在受信装置１があるエリアにおいて、物理チャンネルｎで放送サービスが提供されているかどうかのチェックが行われる。物理チャンネルｎで放送サービスが提供されているのであれば（Ｓ４３：ＹＥＳ）、ステップＳ４４に進む。
【００７０】
ステップＳ４４では、コントローラ５０は、ステップＳ４３で検出した放送サービスについて、デコーダ３２が解読したデータの中から系列ＩＤ、サービスＩＤを抽出する。ついで、抽出した系列ＩＤおよびサービスＩＤを物理チャンネルｎと関連づけて履歴テーブル（図８）に登録する。次いで、ステップＳ４５に進む。
【００７１】
ステップＳ４５では、ステップＳ４３で検出した放送サービスの系列ＩＤと、現在第２受信ユニット２０が受信している放送サービスの系列ＩＤとを比較する。両者が一致する場合は（Ｓ４５：一致）、ステップＳ４６に進む。
【００７２】
ステップＳ４６では、ステップＳ４３で検出された物理チャンネルの放送信号の信号レベルのチェックが行われる。具体的には、コントローラ５０は第１復調部１３の出力のビットエラーレートを演算する。そして、このビットエラーレートが予め設定されている第１の閾値より小さいかどうかの判定がおこなわれる。第１復調部１３の出力のビットエラーレートが第１の閾値よりも小さい、すなわちステップＳ４３で検出された物理チャンネルの放送信号の信号レベルが充分に高いと判断された場合は（Ｓ４６：規定値以上）、ステップＳ４７に進む。
【００７３】
ステップＳ４７では、履歴テーブルに登録されている物理チャンネル及びサービスＩＤのうちステップＳ４３で検出されたものと、図３のチャンネル参照テーブルに含まれている物理チャンネルのうちステップＳ４３で検出された物理チャンネルと同一の系列ＩＤを有するものとの入れ換えが行われる。すなわち、ステップＳ４３で抽出された物理チャンネル及びサービスＩＤはチャンネル参照テーブルに登録されるとともに履歴テーブルから抹消され、また、チャンネル参照テーブルに含まれている物理チャンネルのうちステップＳ４３で検出された物理チャンネルと同一の系列ＩＤを有するものは履歴テーブルに登録されると共にチャンネル参照テーブルからは抹消される。なお、新たに履歴テーブルに登録された物理チャンネルの「更新日時」の項目には現在の日時が割り当てられる。次いで、ステップＳ４８に進む。
【００７４】
ステップＳ４８では、コントローラ５０は第２チューナ２２を制御して、現在第１の受信ユニット１０で受信している物理チャンネルの放送サービスを第２受信ユニット２０が受信するようにする。この結果、第１受信ユニット１０と第２受信ユニット２０とが同じ放送サービスを受信することになり、両者を合成する合成ダイバーシティが可能となる。次いで、ステップＳ４９に進む。
【００７５】
ステップＳ４９では、合成ダイバーシティ処理を行うことを示す値を「次モード設定フラグ」に設定する。次いで、本ルーチンを終了し、ステップＳ４（図４）に進む。この結果、次にステップＳ１が実行されるときは、ステップＳ２を介してステップＳ１２およびＳ１３（図５）が実行され、ステップＳ４３で検出された物理チャンネルの放送サービスが合成ダイバーシティによって受信・再生される。
【００７６】
また、ステップＳ４６において、第１復調部１３の出力のビットエラーレートが第１の閾値よりも大きい、すなわちステップＳ４３で検出された物理チャンネルの放送信号の信号レベルが充分に高いとはいえないと判断された場合は（Ｓ４６：規定値未満）、現在第２受信ユニット２０で受信している物理チャンネルを引き続き使用しなければならないということであるので、ステップＳ４７、Ｓ４８は実行せず、ステップＳ５０に進む。
【００７７】
また、ステップＳ４５において、ステップＳ４３で検出した放送サービスの系列ＩＤと、現在第２受信ユニット２０が受信している放送サービスの系列ＩＤとが一致しない場合も（Ｓ４５：不一致）、現在第２受信ユニット２０で受信している物理チャンネルを引き続き使用しなければならないということであるので、ステップＳ４６を実行せずにステップＳ５０に進む。
【００７８】
さらに、ステップＳ４３において、物理チャンネルｎで放送サービスが提供されていないのであれば（Ｓ４３：ＮＯ）、現在第２受信ユニット２０で受信している物理チャンネルを引き続き使用しなければならないということであるので、ステップＳ４４−４６を実行せずにステップＳ５０に進む。
【００７９】
ステップＳ５０では、ステップＳ１４（図５）と同様に、放送サービスの変更がユーザによってなされたかどうかの判定が行われる。ステップＳ５０において、放送サービスの変更がなされたと判断された場合は（Ｓ５０：ＹＥＳ）、ステップＳ４９に進み、合成ダイバーシティ処理を行うことを示す値を「次モード設定フラグ」に設定する。次いで、本ルーチンを終了し、ステップＳ４（図４）に進む。この結果、次回ステップＳ１（図４）が実行された際は、ステップＳ１５（図５）が実行されることになり、このステップＳ１５によって、ユーザが指定した系列に属する放送サービスの受信・再生が合成ダイバーシティで実施されることになる。一方、ステップＳ５０において放送サービスの変更がなされていないと判断された場合は（Ｓ５０：ＮＯ）、ステップＳ５１に進む。
【００８０】
ステップＳ５１では、受信状態監視処理が実行される。この処理は、現在選択されている放送サービスの電波の信号品質のレベルを監視するものである。具体的な処理の内容については、後述する。次いで、ステップＳ５２に進む。
【００８１】
ステップＳ５２では、「次モード設定フラグ」に合成ダイバーシティ処理を行うことを示す値と代替放送検出処理を行うことを示す値のどちらが設定されているかどうかの判定がおこなわれる。ここで、本ルーチンの開始時においては「次モード設定フラグ」に代替放送検出処理を行うことを示す値が設定されているが、ステップＳ５１の受信状態可能処理において第２受信ユニット２０が受信した電波の信号品質が充分に高い場合は、これ以上代替放送の検出を続ける必要なしと判断され、「次モード設定フラグ」に合成ダイバーシティ処理を行うことを示す値が設定される。また、この場合は、現在第２の受信ユニット２０で受信している物理チャンネルの放送サービスを第１受信ユニット１０が受信するように変更されている。ステップＳ５２において「次モード設定フラグ」に合成ダイバーシティ処理を行うことを示す値が設定されていることが判明した場合は（Ｓ５２：ダイバーシティ）、本ルーチンを終了し、ステップＳ４に進む。この結果、次に実行されるステップＳ１（図４）からステップＳ２を介してステップＳ１２、Ｓ１３が実行されることになり、シングルモード時において現在第２の受信ユニット２０で受信・再生された放送サービスが、引き続き合成ダイバーシティモードで受信・再生されることになる。
【００８２】
一方、ステップＳ５２において「次モード設定フラグ」に代替放送検出処理を行うことを示す値が設定されている場合は、現在第２受信ユニットで受信している放送電波の信号品質のレベルは低いままであり、代替の放送サービスの検出を続けることが好適であることを意味する。従って、このような場合は（Ｓ５２：代替放送検出）、ステップＳ５３に進む。
【００８３】
ステップＳ５３では、ｎが所定の最大値に達したかどうか、すなわち、全ての物理チャンネルについての走査を行ったかどうかの判定が行われる。全ての物理チャンネルについての走査が完了したのであれば、適切な代替の放送サービスを検出できなかったということである。従って、このような場合は（Ｓ５３：ＹＥＳ）、現在第２受信ユニット２０で受信している物理チャンネルを引き続き使用しなければならないということであるので、本ルーチンを終了し、ステップＳ４（図４）に進む。
【００８４】
一方、全ての物理チャンネルについての走査が完了していないのであれば、適切な代替の放送サービスがある可能性があるということであるので、ステップＳ５４に進み、nに１を加算した後、ステップＳ４２に戻って次の物理チャンネルの走査を行う。
【００８５】
以上のように、図６および７のルーチンによって、まず履歴テーブルに登録されている物理チャンネルの中に代替可能なものがあるかどうかのチェックが行われ、適切なものが無いときに物理チャンネルの走査を行うようになっている。すなわち、履歴テーブルに登録されている物理チャンネルの中に代替可能なものがあれば物理チャンネルの走査は行われない。履歴テーブルに登録されている物理チャンネルは、所定時間以内の期間に正常に受信できたものであり、正常に受信可能である可能性が高い。従って、履歴テーブルに登録されている物理チャンネルの中に適切なものがあるかどうかの検証を先に行うことによって、短時間で代替の放送サービスを検出することが期待される。
【００８６】
次いで、ステップＳ１６、Ｓ３３及びＳ５１から呼び出される、受信状態監視処理の詳細につき説明する。図９は、この受信状態監視処理のルーチンを示すフローチャートである。本ルーチンが開始すると、ステップＳ６１が実行される。
【００８７】
ステップＳ６１では、「次モード設定フラグ」に合成ダイバーシティ処理を行うことを示す値と代替放送検出処理を行うことを示す値のどちらが設定されているかどうかの判定がおこなわれる。代替放送検出処理を行うことを示す値が「次モード設定フラグ」に設定されているのであれば、ステップＳ６２に進む。
【００８８】
ステップＳ６２では、第２受信ユニット２０が受信している物理チャンネルの放送信号の信号レベルのチェックが行われる。具体的には、コントローラ５０は第２復調部２３の出力のビットエラーレートを演算する。そして、このビットエラーレートが予め設定されている第２の閾値より小さいかどうかの判定がおこなわれる。第２復調部２３の出力のビットエラーレートが第２の閾値よりも小さい、すなわち現在第２受信ユニット２０で受信している物理チャンネルの放送信号の信号レベルが充分に高いと判断された場合は、代替の放送サービスを探す必要はないということを意味する。この場合は（Ｓ６２：規定値以上）、ステップＳ６３に進む。
【００８９】
ステップＳ６３では、現在第２の受信ユニット２０で受信している物理チャンネルの放送サービスを第１受信ユニット１０が受信するように変更する。次いで、ステップＳ６４に進む。
【００９０】
ステップＳ６４では、「次モード設定フラグ」に合成ダイバーシティ処理を行うことを示す値を設定する。ついで、本ルーチンを終了する。すなわち、ステップＳ１６（図５）にて本ルーチンが呼びだされた場合はステップＳ４（図４）が、ステップＳ３３（図６）にて本ルーチンが呼びだされた場合はステップＳ３４（図６）が、ステップＳ５１（図７）にて本ルーチンが呼びだされた場合はステップＳ５２（図７）が、それぞれ実行される。
【００９１】
また、本ルーチンのステップＳ６２において第２復調部２３の出力のビットエラーレートが第２の閾値よりも大きい、すなわち現在第２受信ユニット２０で受信している物理チャンネルの放送信号の信号レベルが充分に高いとはいえないと判断された場合は、引き続き代替の放送サービスを探す必要があるということを意味する。この場合は（Ｓ６２：規定値未満）、ステップＳ６３、Ｓ６４は実行されず、直ちに本ルーチンを終了させる。
【００９２】
また、ステップＳ６１において、「次モード設定フラグ」に合成ダイバーシティ処理を行うことを示す値が設定されているのであれば（Ｓ６１：ダイバーシティ）、ステップＳ６５に進む。ステップＳ６５では、第１受信ユニット１０が受信している物理チャンネルの放送信号の信号レベルのチェックが行われる。具体的には、コントローラ５０は第１復調部１３の出力のビットエラーレートを演算する。そして、このビットエラーレートが予め設定されている第３の閾値より大きいかどうかの判定がおこなわれる。第１復調部１３の出力のビットエラーレートが第３の閾値よりも大きい、すなわち合成ダイバーシティで受信している物理チャンネルの放送信号の信号レベルが充分に高いはいえないと判断された場合は、代替の放送サービスを探す必要があるということを意味する。この場合は（Ｓ６５：規定値未満）、ステップＳ６６に進む。
【００９３】
ステップＳ６６では、「次モード設定フラグ」に代替放送検出処理を行うことを示す値を設定する。次いで、本ルーチンを終了させる。本実施形態においてはステップＳ６５が実行されるのはステップＳ１６から本ルーチンが呼び出された時のみであるため、ステップＳ６６の次にはステップＳ４（図４）が実行される。すなわち、合成ダイバーシティにて受信を行っているときに、第１受信ユニット１０で受信している信号の品質が低下していると判断されると、代替の放送サービスの検出処理（図６、７）が行われる。なお、第３の閾値は第２の閾値よりもある程度大きくなっており、短時間のうちに頻繁に合成ダイバーシティモードとシングルモードとが切り替わらないようになっている。
【００９４】
一方、ステップＳ６５において、第１復調部１３の出力のビットエラーレートが第３の閾値よりも小さい、すなわち合成ダイバーシティで受信している物理チャンネルの放送信号の信号レベルが充分に高いと判断された場合は、代替の放送サービスを探す必要はないということを意味する。この場合は（Ｓ６５：規定値以上）、本ルーチンを終了させ、引き続き合成ダイバーシティによる放送サービスの受信・再生が行われる。
【００９５】
以上のように、本実施形態によれば、受信している放送サービスの信号の品質が充分に高い場合は、合成ダイバーシティによってより高品位の受信が可能となる。また、放送サービスの信号の品質が低下しているときは、一方の受信ユニットで放送サービスの受信・再生を行いつつ他方の受信ユニットで代替の放送サービスの検出を行うことができる。従って、放送サービスの信号の品質が低下しているときであっても番組の再生を長期間途切れさせることなく、バックグラウンドで代替の放送サービスの検出を行うことができる。
【００９６】
なお、本実施形態においては、合成ダイバーシティを用いて放送サービスの再生を行うか、シングルモードで放送サービスの再生を行いながら代替の放送サービスの検出をおこなうかどうかの判断基準、検出された代替の放送サービスを合成ダイバーシティで受信・再生するかどうかの判断基準、及び代替の放送サービスの検出を中断して現在の放送サービスを合成ダイバーシティで受信・再生するかどうかの判断基準は、第１又は第２の受信ユニットが受信・復調したデータのビットエラーレートに基づくものである。しかしながら、本発明は上記の構成に限定されるものではなく、他の判断基準、例えば復調したデータのＣ／Ｎ比が所定値以上／未満であるかどうかを用いてもよい。
【図面の簡単な説明】
【００９７】
【図１】本発明の実施の形態の車載用地上デジタル放送受信装置のブロック図である。
【図２】本発明の実施の形態の車載用地上デジタル放送受信装置のキーパッドを示したものである。
【図３】本発明の実施の形態において、放送サービスの系列と放送サービスとを関連づけるためのチャンネル参照テーブルの一例を示したものである。
【図４】本発明の実施の形態において、受信装置のコントローラによって実行されるメインルーチンのフローチャートである。
【図５】本発明の実施の形態において、受信装置のコントローラによって実行される、合成ダイバーシティ設定処理のルーチンのフローチャートである。
【図６】本発明の実施の形態において、受信装置のコントローラによって実行される、代替放送検出処理のルーチンのフローチャートである。
【図７】本発明の実施の形態において、受信装置のコントローラによって実行される、代替放送検出処理のルーチンのフローチャートである。
【図８】本発明の実施の形態において、以前検出した放送サービス記憶する履歴テーブルの一例を示したものである。
【図９】本発明の実施の形態において、受信装置のコントローラによって実行される、受信状態監視処理のルーチンのフローチャートである。
【符号の説明】
【００９８】
１    受信装置
１０    第１受信ユニット
１１    第１アンテナ
１２    第１チューナ
１３    第１復調部
２０    第２受信ユニット
２１    第２アンテナ
２２    第２チューナ
２３    第２復調部
３２    デコーダ
３４    画像処理回路
３６    音声処理回路
４２    モニタ
４４    スピーカ
４６    キーパッド
５０    コントローラ
【図１】
2008085754.tif 000003
【図２】
2008085754.tif 000004
【図３】
2008085754.tif 000005
【図４】
2008085754.tif 000006
【図５】
2008085754.tif 000007
【図６】
2008085754.tif 000008
【図７】
2008085754.tif 000009
【図８】
2008085754.tif 000010
【図９】
2008085754.tif 000011